(57)【要約】【課題】大空間建築物に対して、作業効率よく迅速に、屋根躯体の下面に軒天パネルが設置される屋根を構築することの可能な、屋根の構築方法を提供する。【解決手段】屋根躯体の下面に軒天パネルが設置される屋根を備えた大空間建築物の屋根の構築方法であって、屋根躯体の下方に作業ステージを配置し、作業ステージ上に、移動自在かつ支持した軒天パネルを押し上げ可能なパネル揚重装置を載置する第１の工程と、作業ステージ上でパネル揚重装置を介して、軒天パネルを屋根躯体の下面近傍における設置予定位置に据え付け、屋根躯体に前記軒天パネルを取り付ける第２の工程と、を備える。【選択図】図２
2018062771.tif 000002
【特許請求の範囲】
【請求項１】
屋根躯体の下面に軒天パネルが設置される屋根を備えた大空間建築物の屋根の構築方法であって、
前記屋根躯体の下方に作業ステージを配置し、該作業ステージ上に、支持した前記軒天パネルを押し上げ可能、かつ移動自在なパネル揚重装置を載置する第１の工程と、
前記作業ステージ上で該パネル揚重装置を介して、前記軒天パネルを前記屋根躯体の下面近傍における設置予定位置に据え付け、該屋根躯体に前記軒天パネルを取り付ける第２の工程と、
を備えることを特徴とする屋根の構築方法。
【請求項２】
請求項１に記載の屋根の構築方法において、
あらかじめ、前記屋根躯体を複数の工区に区割りするとともに、前記作業ステージを移動自在に組み立てておき、
前記複数の工区のうちの１つにて、前記第１の工程および第２の工程を実施し、
前記第２の工程が終了した後、前記作業ステージを他の工区へ移動する第３の工程を備え、
前記複数の工区すべてに到達するまで、前記第２の工程と前記第３の工程を繰り返すことを特徴とする屋根の構築方法。
【発明の詳細な説明】
【技術分野】
【０００１】
本発明は、屋根躯体の下面に軒天パネルが設置される屋根を備えた、大空間建築物の屋根の構築方法に関する。
【背景技術】
【０００２】
屋外スタジアムやコンサートホール等の大空間建築物には、大空間を覆う屋根が設けられている。例えば、特許文献１では、フィールドを囲うように観客席が設置されるとともに、観客席の上方にキャンティレバー式の屋根が設けられており、これらキャンティレバー式の屋根は、屋根庇フレームと、屋根庇フレームの上面に設置される屋根板を備えている。
【先行技術文献】
【特許文献】
【０００３】
【特許文献１】特開平８−２７７６４３号公報
【発明の概要】
【発明が解決しようとする課題】
【０００４】
このような屋根に対してさらに軒天パネルを設置しようとする場合、その設置方法としては、屋根庇フレームの上方から屋根庇フレームの開口を貫通させるようにして大型揚重機のクレーンフックやワイヤーを吊り下げ、これらクレーンフックやワイヤーに、地組した軒天パネルを吊持させる。この後、軒天パネルを屋根庇フレームの下面まで吊り上げるとともに設置位置や設置角度等の調整をしたうえで、軒天パネルを屋根庇フレームに取り付ける。
【０００５】
上記の方法では、クレーンフックやワイヤーが屋根庇フレームの開口を貫通する状態で軒天パネルの設置作業が行われるため、屋根庇フレームの上面に配置される屋根板の設置作業を先行して実施することができない。
【０００６】
また、屋根庇フレームがトラス構造を有していない場合には、クレーンフックやワイヤーを貫通させるための開口を屋根庇フレームに設けなければならず、作業工程が増えるとともに、安全性の面で課題が生じる。
【０００７】
本発明は、かかる課題に鑑みなされたものであって、その主な目的は、大空間建築物に対して、作業効率よく迅速に、屋根躯体の下面に軒天パネルが設置される屋根を構築することの可能な、屋根の構築方法を提供することである。
【課題を解決するための手段】
【０００８】
かかる目的を達成するため本発明の屋根の構築方法は、屋根躯体の下面に軒天パネルが設置される屋根を備えた大空間建築物の、屋根の構築方法であって、前記屋根躯体の下方に作業ステージを配置し、該作業ステージ上に、支持した前記軒天パネルを押し上げ可能、かつ移動自在なパネル揚重装置を装備する第１の工程と、前記作業ステージ上で該パネル揚重装置を介して、前記軒天パネルを前記屋根躯体の下面近傍における設置予定位置に据え付け、該屋根躯体に前記軒天パネルを取り付ける第２の工程と、を備えることを特徴とする。
【０００９】
上述する本発明の屋根の構築方法によれば、屋根躯体の下方に配置された作業ステージと、作業ステージ上を走行するパネル揚重装置とを利用して、軒天パネルを屋根躯体の下方から設置する。これにより、屋根躯体の上面に設置する屋根仕上げ材の取り付け作業を、軒天パネルの取り付け作業と同時期にもしくは先行して実施することができる等、軒天パネルを設置するための作業スペースと屋根の構築に係る他の作業スペースとの干渉を最小限に抑えることができ、迅速に屋根の構築作業を実施することが可能となる。
【００１０】
また、クレーン等の大型揚重機にて吊持した状態の軒天パネルを、屋根躯体に対して位置合わせする等の煩雑な作業が発生しないため、安全で作業効率を大幅に向上することが可能となる。また、屋根躯体に開口を必要としないため、いずれの構造よりなる屋根躯体に対しても、容易に軒天パネルを設置することが可能となる。
【００１１】
本発明の屋根の構築方法は、あらかじめ、前記屋根躯体を複数の工区に区割りするとともに、前記作業ステージを移動自在に組み立てておき、前記複数の工区のうちの１つにて、前記第１の工程および第２の工程を実施し、前記第２の工程が終了した後、前記作業ステージを他の工区へ移動する第３の工程を備え、前記複数の工区すべてに到達するまで、前記第２の工程と前記第３の工程を繰り返すことを特徴とする。
【００１２】
本発明の屋根の構築方法によれば、現場に大掛かりな作業ステージを設ける必要がないため、省スペースでかつ経済的に屋根の構築作業を実施することが可能となる。
【発明の効果】
【００１３】
本発明によれば、屋根躯体の下方に配置された作業ステージと、作業ステージ上を走行するパネル揚重装置とを利用して、軒天パネルを屋根躯体の下方から設置するから、軒天パネルを設置するための作業スペースと屋根の構築に係る他の作業スペースとの干渉を最小限に抑えることができ、迅速かつ作業効率よく屋根の構築作業を実施することが可能となる。
【図面の簡単な説明】
【００１４】
【図１】本発明の屋外スタジアムの平面を示す図である。
【図２】本発明の屋外スタジアムの側面を示す図である。
【図３】本発明のパネル揚重装置を示す図である。
【図４】本発明の軒天パネル６の設置方法の手順を示すフロー図である。
【図５】本発明の軒天パネル６の設置方法を示す図である（その１）。
【図６】本発明の軒天パネル６の設置方法を示す図である（その２）。
【図７】本発明の軒天パネル６の設置方法を示す図である（その３）。
【発明を実施するための形態】
【００１５】
本発明の屋根の構築方法は、屋外スタジアムやコンサートホール等の大空間建築物に対して、屋根躯体の下面に軒天パネルを備えた屋根を構築する場合に好適な方法である。以下に、大空間建築物として、観客席の上方に屋根を備えた屋外スタジアムを事例に挙げ、図１〜図７を参照して屋根の構築方法を説明する。
【００１６】
図１で示すように、屋外スタジアム１００は、中央に位置するフィールド１と、これを囲うように配置されるスタンド２と、該スタンド２の上方に設置される屋根３を備えている。図２で示すように、屋根３は、スタンド２の外周に沿って設置された複数の支柱４に片持ち梁の態様で支持され、フィールド１側に張り出す屋根躯体５と、屋根躯体５の下面に設置された軒天パネル６と、屋根躯体５の上面に設置され屋根仕上げ材７を備えている。
【００１７】
屋根躯体５は、いずれの構造を有するものでもよいが、本実施の形態では、図２で示すように、鉄骨材を用いたトラス構造よりなり、スタンド２を構成するスタンド躯体２１と同時に、もしくはこれと前後して構築される。軒天パネル６は、一般に軒天に設置される板材と同様の材料よりなり、１枚の板材よりなるものであっても、板材を複数毎を連結してユニット化したものでもいずれでもよく、また、その形状も平板であっても湾曲板であってもいずれでもよい。屋根仕上げ材７は、雨水や雪等に対応するべく一般に採用される部材であり、いずれの形状や大きさのものであってもよい。
【００１８】
上述する軒天パネル６および屋根仕上げ材７の設置作業は、スタンド躯体２１の上方に配置された状態の屋根躯体５に対して実施される。本実施の形態において、軒天パネル６の設置作業は、屋根躯体５の下方に配置される作業ステージ１０と、作業ステージ１０上に装備される移動自在かつ軒天パネル６を押し上げ可能なパネル揚重装置２０とを用いて実施される。
【００１９】
作業ステージ１０は、図２で示すように、スタンド２と屋根躯体５の間に配置される作業床１１と、作業床１１のフィールド１側に位置する内側部を支持する内側脚１２と、作業床１１の内側部と対向する外側部を支持する外側脚１３とを備える。本実施の形態では、あらかじめ作業ステージ１０を支持可能な固定式ステージＳをスタンド２の内周側に構築し、作業ステージ１０の内側脚１２を固定式ステージＳに、外側脚１３をスタンド躯体２１に支持させている。なお、固定ステージＳは必ずしも構築しなくてもよく、内側脚１２をスタンド躯体２１やフィールド１に直接支持させてもよい。
【００２０】
また、内側脚１２と外側脚１３には、作業ステージ１０をスタンド２の周方向に移動させるための走行体１４が設けられている。走行体１４は、車輪やキャタピラ等いずれによるものであってもよく、また、固定式ステージＳおよびスタンド躯体２１の上面を直接走行させてもよいし、固定式ステージＳおよびスタンド躯体２１の上面に例えばレールを設け、このレールを介して走行するものであってもよい。
【００２１】
さらに、作業ステージ１０には、作業床１１の内側部に張出し床１５が設置されている。張出し床１５は、荷受けスペースとして機能する領域であり、その上方は、屋根躯体５が存在しない状態となっている。したがって、フィールド１の予定位置に構築された地組ヤードＹにて地組された屋根３の構築に必要な建設資材や工具等を、クレーン等の大型揚重機Ｍにて楊重し、これを張出し床１５上に搬送することができる。
【００２２】
一方、図３（ａ）で示すように、パネル揚重装置２０は、作業床１１上を自在に走行可能な台車２１と、軒天パネル６が載置されるパネル支持機構２３と、パネル支持機構２３を支持する昇降機構２２と、を備えている。
【００２３】
昇降機構２２は、軒天パネル６を載置した状態のパネル支持機構２３を、屋根躯体５の下面近傍まで押し上げ可能な伸縮機構を備えた装置であればいずれを採用してもよいが、本実施の形態では、パンタグラフジャッキを採用している。
【００２４】
パネル支持機構２３は、長さを可変自在な複数の支柱よりなる姿勢制御機構２３１と、姿勢制御機構２３１の天端に設置されるレベル調整機構２３２を備えている。姿勢制御機構２３１およびレベル調整機構２３２はいずれの構造のものを採用してもよいが、本実施の形態では、姿勢制御機構２３１に着脱自在な複数の筒体を適宜組み合わせる支柱を４本備えるとともに、レベル調整機構２３２に油圧ジャッキを採用している。
【００２５】
姿勢制御機構２３１は、４体の支柱各々の長さを適宜調整することにより、軒天パネル６のパネル支持機構２３への載置姿勢を制御できる。したがって、軒天パネル６を、姿勢制御機構２３１を用いて屋根躯体５に設置される際の設置姿勢に対応する姿勢にてパネル支持機構２３に載置することができ、また、レベル調整機構２３２にて、パネル支持機構２３に載置された状態の軒天パネル６の姿勢を高さ方向に微調整することができる。
【００２６】
さらに、昇降機構２２とパネル支持機構２３との間には、昇降機構２２に対してパネル支持機構２３の水平位置を微調整可能な、例えばボールベアリングやすべり板等のすべり支承を備えた水平調整機構２４が配置されている。これにより、図３（ｂ）で示すように、パネル支持機構２３に載置された状態の軒天パネル６の水平位置を、昇降機構２２に対して微調整することができる。
【００２７】
上述する構成の作業ステージ１０とパネル揚重装置２０とにより、屋外スタジアム１００の屋根３は、以下の手順により構築することができる。
【００２８】
つまり、屋根躯体５を構築したのち、屋根躯体５の下方に作業ステージ１０を組み立て、作業ステージ１０上にパネル揚重装置２０を装備する。この後、作業ステージ１０上でパネル揚重装置２０を介して、軒天パネル６を屋根躯体５の下面付近まで押上げ、かつ必要に応じて水平方向および高さ方向の微調整を行って軒天パネル６を屋根躯体５の設置予定位置に位置決めし、屋根躯体５に仮固定する。屋根躯体５の上面に屋根仕上げ材７を設置する作業は、上記の軒天パネル６を設置する作業と同時に実施してもよいし、先行して実施してもよい。
【００２９】
このような屋根の構築方法において、軒天パネル６の設置作業の詳細を、屋根躯体５を複数の工区に区割りして工区ごとで実施する場合を事例に挙げ、図４で示すフロー図にしたがって説明する。なお、本実施の形態では、スタンド２の一部領域のみを覆うように屋根３を構築するべく、屋根躯体５を配置しているが、必ずしもこれに限定されるものではなく、スタンド２の全部を覆うように屋根３を構築するものであってもよい。
【００３０】
（第１の工程：ｓｔｅｐ１）
まず、図２で示すように、スタンド２の内周側に固定式ステージＳを構築した後、固定式ステージＳとスタンド躯体２１に支持させるようにして、作業ステージ１０を組み立てる。
【００３１】
（第１の工程：ｓｔｅｐ２）
図５で示すように、屋根躯体５をスタンド２の周方向に向かって複数の工区に区割りしたうえで、第１の工区Ａに該当する領域に、上記のとおり組み立てた作業ステージ１０を配置する。
【００３２】
（第２の工程：ｓｔｅｐ３）
図２で示すように、パネル揚重装置２０を作業ステージ１０の張出し床１５まで移動させた後、地組ヤードＹにて地組された軒天パネル６を大型揚重機Ｍにて楊重し、パネル揚重装置２０のパネル支持機構２３に載置させる。
【００３３】
このとき、パネル揚重装置２０のパネル支持機構２３は、軒天パネル６を屋根躯体５に設置される際の設置姿勢を保持した状態で載置できるよう、姿勢制御機構２３１に備えた複数の支柱各々の長さを調整しておく。
【００３４】
（第２の工程：ｓｔｅｐ４）
図６で示すように、パネル揚重装置２０を走行させて、軒天パネル６を屋根躯体５における設置予定位置の直下まで搬送するとともに、軒天パネル６の向きを屋根躯体５に設置するときの向きに合致させる。
【００３５】
ここで例えば、図３（ｂ）で示すように、パネル揚重装置２０に端末装置２５を備えておく。なお、端末装置２５は、演算処理装置２５１、入力部２５２、表示部２５３及び記憶部２５４等を備えた、いわゆるノート型パソコンやタブレット端末である。演算処理装置２５１は、ＣＰＵ、ＧＰＵ、ＲＯＭ、ＲＡＭ及びハードウェアインタフェース等を有するコンピュータである。入力部２５２は、スイッチ、キーボード等の入力装置である。表示部２５３は、画面表示を行うディスプレイである。記憶部２５４は、半導体メモリ又はハードディスクドライブ等からなる記憶装置であり、演算処理装置２５１によって実行可能なプログラムが格納されている。
【００３６】
そして、屋根３の設計図等の情報を格納したＢＩＭデータから、設置しようとする軒天パネル６の重心位置および方位角を把握し、端末装置２５の記憶部２５４に格納しておく。また、屋根躯体５の下面の形状を、ワールド座標系上で点群データよりなる点群モデルとして、端末装置２５の記憶部２５４に格納しておき、軒天パネル６が屋根躯体５に設置された時の重心位置および方位角を演算処理装置２５１算出し、記憶部２５４に格納しておく。
【００３７】
一方で、軒天パネル６を載置した状態のパネル揚重装置２０の重心位置を、トータルステーションによる計測にて把握する。こうすると、端末装置２５の記憶部２５４に格納した軒天パネル６の設置予定位置に関する情報と、パネル揚重装置２０の重心位置に関する情報に基づいて、パネル揚重装置２０に載置された状態の軒天パネル６について、その重心位置を屋根躯体５の設置予定位置の重心位置と同一鉛直線上に移動させることができ、また、その方位角を屋根躯体５に設置された時の方位角と合致させることができる。
【００３８】
なお、屋根躯体５の下面の形状を、ワールド座標系上で点群データよりなる点群モデルとして把握させるための装置および方法は、例えば、特願２０１６-０３４２５６号を参照されたい。
【００３９】
この後、パネル揚重装置２０の昇降機構２２により、軒天パネル６を屋根躯体５の下面に向けて所定高さまで押し上げる。そして、軒天パネル６の水平位置や高さ位置に微調整が必要な場合には、前述したパネル揚重装置２０の水平調整機構２４およびレベル調整機構２３２を用いてその位置を微調整する。こうして、軒天パネル６を屋根躯体５の設置予定位置に位置決めし、両者を図示しない仮固定手段を介して仮固定する。
【００４０】
（第２の工程：ｓｔｅｐ５）
屋根躯体５における第１の工区Ａに該当する領域すべてに対して軒天パネル６を設置するまで、上記ｓｔｅｐ３およびｓｔｅｐ４の作業を繰り返す。
【００４１】
（第３の工程：ｓｔｅｐ６およびｓｔｅｐ２）
図７で示すように、第１の工区Ａに該当する領域すべてに対して軒天パネル６を設置し終わったのち、作業ステージ１０を次の工区に移動させる。
【００４２】
（第４の工程：ｓｔｅｐ６およびｓｔｅｐ７）
区割りした複数の工区すべてに到達するまで、上記の第２の工程および第３の工程を繰り返し、図１で示すように、屋根躯体５の全ての下面に軒天パネル６を設置する。これらが終了したのち、作業ステージ１０を解体する。
【００４３】
本発明の屋根の構築方法によれば、屋根躯体５に下方に配置された作業ステージ１０と、作業ステージ１０上を走行するパネル揚重装置２０とを利用して、軒天パネル６を屋根躯体５の下方から設置することができる。これにより、屋根躯体５の上面に屋根仕上げ材７を設置する作業を、軒天パネル６の取り付け作業と同時期にもしくは先行して実施することができる等、軒天パネル６を設置するための作業スペースと屋根の構築に係る他の作業スペースとの干渉を最小限に抑えることができ、迅速に屋根３の構築作業を実施することが可能となる。
【００４４】
また、人力によることなくパネル揚重装置２０により屋根躯体５に対する軒天パネル６の位置合わせを実施できるため、従来のように、クレーン等の大型揚重機Ｍにて吊持した状態の軒天パネル６を、屋根躯体５に対して位置合わせする等の煩雑な作業が発生しない。このため、安全で作業効率を大幅に向上することが可能となる。また、屋根躯体５に開口を必要としないため、いずれの構造よりなる屋根躯体５に対しても、容易に軒天パネル６を設置することが可能となる。
【００４５】
さらに、屋根躯体５を複数の工区に区割りして工区ごとに軒天パネル６の設置作業を実施できるため、現場に大掛かりな作業ステージ１０を設ける必要がなく、省スペースでかつ経済的に屋根３の構築作業を実施することが可能となる。
【００４６】
本発明の屋根の構築方法は、上記実施形態に限定されるものではなく、本発明の趣旨を逸脱しない範囲で種々の変更が可能である。
【００４７】
例えば、本実施の形態では、屋根躯体５を複数の工区に区割りし、工区ごとに作業ステージ１０を移動させて軒天パネルの設置作業を行ったが、必ずしもこれに限定されるものではない。屋根躯体５の下方前面に作業ステージ１０を構築し、作業ステージ１０を移動させることなく、パネル揚重装置２０を用いて軒天パネルの設置作業を実施してもよい。
【００４８】
本実施の形態では、第１の工区Ａに１台の作業ステージ１０を配置したが、必ずしもこれに限定するものではなく、複数台の作業ステージ１０を隣接して配置し、軒天パネル６の設置作業が終了するごとに、複数台の作業ステージ１０を次の工区に移動させてもよい。
【００４９】
本実施の形態では、作業ステージ１０に対して張出し床１５を、作業床１１のフィールド１側に位置する内側部に設けたが、その配置位置は必ずしもこれに限定されるものではなく、クレーン等の大型揚重機Ｍにて吊持された建設資材の荷受けスペースとして適した位置であれば、作業床１１のいずれの位置に設置してもよい。
【符号の説明】
【００５０】
１        フィールド
２        スタンド
３        屋根
４        支柱
５        屋根躯体
６        軒天パネル
７        屋根仕上げ材
１０      作業ステージ
１１      作業床
１２      内側部脚
１３      外側部脚
１４      走行体
２０      パネル揚重装置
２１      台車
２２      昇降機構
２３      パネル支持機構
２３１    姿勢制御機構
２３２    レベル調整機構
２４      水平調整機構
２５      端末装置
２５１    演算処理装置
２５２    入力部
２５３    表示部
２５４    記憶部
１００    屋外スタジアム（大空間建築物）
Ａ        第１の工区
Ｓ        固定ステージ
Ｙ        地組ヤード
Ｍ        大型揚重機
【図１】
2018062771.tif 000003
【図２】
2018062771.tif 000004
【図３】
2018062771.tif 000005
【図４】
2018062771.tif 000006
【図５】
2018062771.tif 000007
【図６】
2018062771.tif 000008
【図７】
2018062771.tif 000009